(57)【特許請求の範囲】
【請求項１】
排気ファンによる気流によって塗装室の前面下部の吸い込み口より塗料ミストを吸引してミスト処理室に導き、該ミスト処理室を通過するミスト含有気流に水洗シャワーを噴射して塗料ミストを捕捉する水洗式塗装ブースにおいて、噴射したシャワー水を受ける樋を設け、シャワー水の一部を水槽に還流し、残りを樋の長手方向に沿ってオーバーフローさせ、鉛直面を形成する水流板より流下させるように構成した水洗式塗装ブース。
【請求項２】
オーバーフロー水が水流板に流下するとき、水膜を形成するに十分かつ適正な流量となるようシャワー水量を調節可能とする手段もしくは水槽に還流する流路の調節手段を設けた請求項１に記載の水洗式塗装ブース。
【請求項３】
前記水流板をオーバーフローの樋に着脱可能とした請求項１又は請求項２に記載の水洗式塗装ブース。
【請求項４】
シャワー水がオーバーフローの樋に落下するようガイドを設けてなる請求項１〜３のいずれか１項に記載の水洗式塗装ブース。
【請求項５】
塗料の吹き付け方向に面して塗装室前面に設けた水流板を上下２段で構成し、上部前方に第１段水流板を配し、下部後方に第２段水流板を配して、前記第１段水流板にはポンプによる循環水を受けた樋からのオーバーフロー水を流し、前記第２段水流板には第１段水流板の内側に設けた噴射ノズルからのシャワー水を受けた樋からのオーバーフロー水を流してなる２段水流を用いた水洗式塗装ブース。
【請求項６】
第１段水流板と第２段水流板との間は、ミスト処理室に吸引気流が通過する吸い込み通路を形成し、第２段水流板の下端は下方の水流もしくは水槽内に連続して流入するように構成した請求項５に記載の水洗式塗装ブース。
【請求項７】
水の代わりにミスト捕捉用液体を用いた請求項１〜６のいずれか１項に記載の塗装用ブース。
【発明の詳細な説明】
【０００１】
【発明の属する技術分野】
本発明は、スプレー塗装において噴霧された塗料のうち、被塗装物に塗着しないで飛散する塗料ミストを吸引し、捕捉回収する塗装用ブースに関し、特に排気ファンにより塗料ミストを気流と共に吸引し、シャワー水により塗料ミストを捕捉処理して清浄な空気として、排出する水洗式塗装ブースに関する。
【０００２】
【従来の技術】
一般的な水洗式塗装ブースは、図４に示すように下部に水槽45を配し、排気扇41により塗装室前面のミスト含有気流を吸引し、ミスト処理室内43を通過する際に、ノズル44からの水洗シャワーを噴射してミストを水と共に下部水槽に落として捕捉するもので、ポンプ（図示無し）で吸い上げた水を前記ノズル44供給すると共に、塗装室前面に設けた水流板42にオーバーフローさせる樋46に供給している。水流板と水流板の後部に設けたミスト処理室内43で捕捉された塗料は、水槽内に落とし込まれスラッジとして分離回収処分される。
【０００３】
この種の塗装ブースは飛散する塗料のミストを水との接触により捕捉するため、接触の機会を多くすることによって捕集効率を高め、排気する空気の清浄化を高めることができ、大気汚染・環境汚染を防止することができる。
【０００４】
また、シャワーによる水滴を用いる場合、水滴は細かい粒子とするほど表面積が多くなり、同じ水量で捕捉効果を上げることができるが、細かすぎると気流と共に排気される確率が高くなり塗装ブースとしてのミスト捕集効率が低下することによって、環境汚染の問題が発生する。
【０００５】
シャワーによる塗料ミストの捕集の他、一般的水洗ブースには水流板による捕捉がある。通常、塗装室に向かって前面には水流板が設けられ、ポンプによって水流板の上部に配した樋に供給した水をオーバーフローさせ、水流板の全面に水膜を形成している。水流板の下部は、水槽内の水面との間に、処理室に吸引される気流の吸い込み口が形成され、オーバースプレーミストを効果的に吸引し、前記の処理室で捕捉するように構成されている。また噴霧されたオーバースプレー粒子のうち直進した塗料粒子は、この水膜に衝突し水と共に水槽に落下し、シャワーと同様に捕捉される。
【０００６】
この様な水洗式の塗装ブースの問題点として塗装室内部において捕捉できない塗料ミストが付着し汚染することによって、清掃に多くの時間がとられることがあげられる。また大量の水を流すために水流による音の問題がある。すなわち水流板を流下し吸い込み口を通過して水面に落下する水の音が騒音となって、作業者の不快感等、作業環境の低下をもたらしている。また処理室の水洗シャワーから水槽内に落下する水の音も同様となっている。
【０００７】
【発明が解決しようとする課題】
水洗塗装ブースの基本機能であるミストの捕捉効率を最大限に維持するために、塗料ミストの含有気流が通過する区域に捕捉するための水もしくは水分の流れを効果的に配置して、少ない水量で捕捉の効率を上げることが必要である。その結果塗装室内の他の箇所に付着する塗料を削減し、清掃等に要する日常のメンテナンスを容易にすることが求められている。
【０００８】
また作業環境からも汚れによる異臭の発生を防止することにつながる他、水の循環がもたらす水流による騒音を低下し、より静かで作業環境の良い塗装室を得ることが本発明の課題である。
前述の通りミストの捕集効率を上げるためには水の量を多くすることが必要であるが、多くすれば騒音も大きくなり、水量を増加させずに循環する水の捕捉効果を向上させて、捕集効率を上げることもまた必要となる。
【０００９】
【問題を解決するための手段】
これらの課題を解決するために本発明は、排気ファンによる吸込気流によって塗装室の前面下部の吸い込み口より塗料ミストを吸引し、ミスト処理室を通過するミスト含有気流に水洗シャワーを噴射して塗料ミストを捕捉する水洗式塗装ブースに対して、噴射したシャワー水を受ける樋を設け、シャワー水の一部は水槽に還流し、残りを樋の長手方向に沿ってオーバーフローさせ、鉛直面を形成する水流板より下部の水面に流下させるように構成したことを特長とする。
【００１０】
これによってシャワー排水が活用できるため、新たな供給用ポンプを追加したり揚水量を増加させずに内部に設けた水流板によってミストを捕捉し、塗装室内部の塗料付着防止・汚れ防止を図ることができる。またシャワーより落下する水を内部の樋に受けることで直接水面に落下する時の音を削減し、塗装室側への騒音を低減し作業環境を改善することができる。またシャワー水を樋に効率よく受けるための手段としては、樋に向かって通路ができるようにガイドを設けることでよい。
【００１１】
更にオーバーフロー水が水流板に流下するとき、水膜を形成するに十分かつ適正な流量となるようシャワー水量を調節可能とする手段もしくは水槽に還流する流路の調節手段を設け、水流板の流下状態を適正に保つことができるようにした。水流は多すぎると流れに乱れが生じ流下時の音が大きくなり、逆に少ない場合はゴミや塗料の付着などにより水膜切れが生じやすく、水の流れがない部分への塗料付着が生じるため、樋への流入もしくは流出量のいずれか又は双方を調節できるようにすることが、より効果のある装置とすることができる。
【００１２】
更に水流板はオーバーフローの樋に着脱可能としたことにより、使用停止時の点検、メンテナンス又は清掃作業においては、作業空間が多く確保でき、作業の容易化が可能となる。
別の手段としては、塗装室前面の水流板を上下２段で構成し、上部前方に第１段水流板を配し、下部後方に第２段水流板を配して、前記第１段水流板にはポンプによる循環水を受けた樋からのでオーバーフロー水を流し、前記第２段水流板には第１段水流板の内側に設けた噴射ノズルのシャワー水を受けた樋からのオーバーフロー水を流すように構成したことである。そして第１段水流板と第２段水流板との間は、ミスト処理室に吸引気流が通過する吸い込み通路を形成した。第２段水流板の下端は水槽内に直接流入するか、下部を流れる水流に流入するように位置決めしている。
【００１３】
これにより既に述べた作用効果の他、第１段目の水流板より落下する水を、その下方内部に設けた第２の水流板の流れに沿うように合流させることができ、塗装室前面に生じていた水の落下衝突音を大幅に減少させることができる。一般に水面にほぼ直角に落下し衝突する場合は跳ね返り等もあり、激しい騒音となるが、本発明によれば下方に落下する流れとして合流させることにより騒音の発生を防ぐことができる。
【００１４】
【発明の実施の形態】
以下に、本発明の一実施例を添付図面に基づいて詳細に説明する。
図1は塗装室の横から見た断面図である。下部に配置された水槽１は前部水槽１Ａと後部水槽１Ｂに分割されている。中央部分にはミスト処理室３が設けられ、その上部に排気ファン４が取り付けられている。処理室３の前面は上部に樋５を設け、該樋５より下方に水流板６が垂下されている。水流板６は製作上及びメンテナンスのしやすさを考慮し、上部
水流板６Ａと下部水流板６Ｂとで構成されている。
【００１５】
下部水流板６Ｂの下端は吸い込み口７をあけて前記排気ファン４の吸い込み気流が適度な流速で吸引されるよう形成されている。ミスト処理室３は排気ファン４による吸い込み気流の通路になっており、中間部分に水洗シャワーの噴射ノズル８が設けられ、通過気流に向けて噴射されるようになっている。
【００１６】
実施例では図２に一部示されているように、塗装室正面から見て左右の方向に複数の噴射ノズルが並べられ、処理室内の気流通路全域をシャワー水が噴霧するようになっている。
また噴射方向はガイド板９に沿って斜め方向に噴射方向が定められている。２０はエリミネータで気流の流れとともに排気ファン４で吸い込まれる細かい水滴を除去するために設けられる。
【００１７】
水洗シャワー噴射方向の先には別の下部樋１０が設けられ、前記処理室前面の水流板６（第１段水流板）と同様、第２段水流板として下段水流板１１が取り付けられている。この下部樋１０は前面よりオーバーフローするように構成され、前記シャワー水を受け、オーバーフローした水が下段水流板１１に沿って流れる。また下部樋１０の両端部には排水路１２が設けられている。該排水路１２は、排水樋１２Ａを経て、図２に鎖線で示すように両側に設けた導水路１３を経て前部水槽１Ａに連絡されている。
【００１８】
前部水槽１Ａは前方の一部を残して底上げし、処理室３の下部に至る傾斜面１４を形成、前部水槽１Ａ内に送り込まれたシャワー排水がオーバーフローし、該傾斜面１４を流れるように形成される。このため前部水槽１Ａは必要な水量として流入するシャワー排水に対して安定した水面が得られれば良く、可能な範囲で小さくしている。
【００１９】
本発明の実施例として図１、図２に示す装置では、傾斜面１４の低部先端１４Ａは下段主流板１１の直前で、後部水槽１Ｂ内に落ち込んでいて、水はそのまま後部水槽内に流下するように連絡されている。また前部水槽１Ａの底は浅くしているが、清掃時に溜まった水を流すため、排水手段を設けるか、底部と後部水槽をつなぐ小さな排水路を形成し、後部水槽を排水した時に流れ出るようにしても良い。
【００２０】
水槽内の水量は運転時に前部水槽１Ａからのオーバーフローが傾斜面１４の全域に流れを作るようにし、淀みが無い量とする。また下段主流板１１の下端は後部水槽１Ｂ内に入り込んでおり、該下端と水面が開かないように水量が調整される。
水の循環流量は一般にポンプによって調節され適正な水流及びシャワー水が決められ、またシャワーへの流量は供給路に設けたバルブによって調整される。
【００２１】
図３に示す他の実施例では、前記の傾斜面１４は下段水流板１１に至り、端部に設けた排水口に流れるように構成されている。この例では下段水流板１１の下端は傾斜面１４の水流に合流するように位置づけられる。これにより流下する水は衝突音を発生することなく静かに流れ、騒音の発生を押さえることができる。
下段水流板１１より流下する水量は、樋１０が受けるシャワー水を水槽１Ａに戻す排水路１２の開口面積を調節したり、シャワー水量を直接調節してオーバーフロー水を調節することによって適正な水中膜を形成する流量を得ることができる。
【００２２】
下段水流板１１の長手方向の幅は、吸い込み口の幅すなわち塗装室の開口幅を十分にカバーする程度とし、オーバーフローの縁は前方の水流板の下端６Ｃより高い位置になっている。また前方の水流板との間隔は気流の通過面積を確保した中で近い位置に配置され、該水流板の下端から落下するカーテン状の水が吸い込み気流によって分断されながら、その殆どが下段水流板１１にあたり流下する水流に合流するため落下時の衝突音が低減される。
【００２３】
またいずれの水流板も取り外し、もしくは開閉により内部のメンテナンスが容易にできるよう配慮されている。実施例では下段水流板１１が取り外し可能にオーバーフロー用の下部樋に掛けられていて、取り外した場合吸い込み部の前部から後部にかけて吹き抜けになる構造としている。したがって清掃やメンテナンス時に作業が一段とやりやすくなっている。
尚、本実施例は、ミストの捕捉に水を用いる水洗式を主として説明したが、水に替えて薬剤液、油性系液剤等を使用する場合も適用され、同様の効果を得ることができる。
【００２４】
【発明の効果】
本発明は以上の構成により以下に示す効果を得ることができる。
本発明によれば吸い込み気流中に含まれる塗料ミストを捕集するために、水洗シャワーから噴射された水を処理室内部に設けた樋で受け、そのオーバーフロー水を利用して内部に水流板を設けたため、新たなポンプや揚水量の増加をさせずに捕捉効果を向上し、処理室内部の塗料粒子付着による汚れを防止できる。
【００２５】
またシャワーの水が直接水槽に落下し、水面への落下音による騒音が生じることなく、水流板より流れを継続したまま水槽内に流入させ、静かな運転ができる。更に水流板はミストの処理室として気流通路の後部壁面を兼用しているため、これを取り外すことによって後部に吹き抜けとなり、清掃・メンテナンス等の作業が極めてやりやすくなる。
【００２６】
塗装室前面の水流板は上下にかつ前後に配置したことにより、下方の水面に至るまで全面が水流板となり、飛散して塗装室に向かう塗料粒子は水流板で細くされる確率が大きく、全体の捕集効率を向上させる。すなわち従来下部吸い込み口より抜けた粒子は気流の勢いにのって直進する慣性力で、下段内部の水流板１１に衝突し、流下する水と共に水槽内に取り込まれる。
【００２７】
更に前方上部の水流板６より流下する水は、気流に吸い寄せられるように後方の水流板１１を流れる水に合流するため、壁面に衝突する場合に比較し騒音の低下が図れる。
以上の通り本発明によれば塗装室全体の塗料付着を防止して、汚れによる作業環境を改善し清潔な外観を維持することができる他、運転時問題であった騒音についても、シャワー排水の落下音が静かに流入する音になって騒音そのもの・感じ方のの低減が図れて、作業者の環境を改善する他、周囲への影響も改善される。また塗料の付着による清掃やメンテナンスの際にも水流板の配置構造から極めてやりやすくなり、その負担が大幅に軽減されるものである。
【図面の簡単な説明】
【図１】本発明の実施例を示す主要部の断面図
【図２】本発明の内部構造を示す斜視図
【図３】本発明の他の実施例を示す主要部の断面図
【図４】従来の塗装用水洗ブースの一例を示す断面構造図
【符号の説明】
１、水槽(１Ａ、前部水槽    １Ｂ、後部水槽
３、ミスト処理室
６、水流板
７、吸い込み口
８、シャワーノズル
１０、下部樋
１１、下段水流板
１２、排水路
１３、導水路
１４、傾斜面
１５、排水口
【図１】
0003704083.tif 000002
【図２】
0003704083.tif 000003
【図３】
0003704083.tif 000004
【図４】
0003704083.tif 000005